(57)【要約】【課題】高精彩な印刷をより適切に行う。【解決手段】インクジェット方式で印刷を行う印刷装置１０であって、複数のインクジェットヘッド１０２と、主走査駆動部１６と、副走査駆動部１８とを備え、主走査方向へ１個以上のインクジェットヘッド１０２が並ぶ列をヘッド列２０２と定義した場合、複数のインクジェットヘッド１０２は、複数のヘッド列２０２が形成されるように配設され、複数のインクジェットヘッド１０２として、１次色用のインクジェットヘッド１０２と、２次色用のインクジェットヘッド１０２とを備え、２次色用のインクジェットヘッドとして、少なくとも、レッド色又はブルー色のいずれかの色について、濃インク用ヘッドと、淡インク用ヘッドとを備え、レッド色又はブルー色のいずれかの色について、濃インク用ヘッドと、淡インク用ヘッドとは、異なるヘッド列２０２に配設される。【選択図】図１
2019130673.tif 000002
【特許請求の範囲】
【請求項１】
媒体に対してインクジェット方式で印刷を行う印刷装置であって、
前記媒体へインクを吐出する複数のインクジェットヘッドと、
前記媒体に対して相対的に予め設定された主走査方向へ移動しつつインクを吐出する主走査動作を前記複数のインクジェットヘッドに行わせる主走査駆動部と、
前記主走査方向と直交する副走査方向へ前記媒体に対して相対的に移動する副走査動作を前記複数のインクジェットヘッドに行わせる副走査駆動部と
を備え、
前記主走査方向へ１個以上のインクジェットヘッドが並ぶ列をヘッド列と定義した場合、前記複数のインクジェットヘッドは、前記副走査方向における位置がずれた複数の前記ヘッド列が形成されるように配設され、
前記複数のインクジェットヘッドとして、少なくとも、
混色により減法混色法での色の表現が原理的に可能になる基本色である１次色用のインクジェットヘッドと、
複数の前記１次色の混色により原理的に得られる色である２次色用のインクジェットヘッドと
を備え、
前記２次色用のインクジェットヘッドとして、少なくとも、レッド色又はブルー色のいずれかの色について、相対的に濃い色のインクを吐出するインクジェットヘッドである濃インク用ヘッドと、相対的に薄い色のインクを吐出するインクジェットヘッドである淡インク用ヘッドとを備え、
前記レッド色又はブルー色のいずれかの色について、前記濃インク用ヘッドと、前記淡インク用ヘッドとは、異なる前記ヘッド列に配設されることを特徴とする印刷装置。
【請求項２】
前記複数のインクジェットヘッドのいずれかとして、黒色のインクを吐出するインクジェットヘッドである黒色用ヘッドを備え、
前記黒色用ヘッドとして、前記濃インク用ヘッドと、前記淡インク用ヘッドとを備えることを特徴とする請求項１に記載の印刷装置。
【請求項３】
黒色用の前記濃インク用ヘッドと、前記淡インク用ヘッドとは、同じ前記ヘッド列に配設されることを特徴とする請求項２に記載の印刷装置。
【請求項４】
前記２次色用のインクジェットヘッドとして、少なくとも、レッド色、グリーン色、及びブルー色のそれぞれについて、前記濃インク用ヘッドと、前記淡インク用ヘッドとを備え、
レッド色、グリーン色、及びブルー色のそれぞれについて、同じ色用の前記濃インク用ヘッドと、前記淡インク用ヘッドとは、異なる前記ヘッド列に配設されることを特徴とする請求項１から３のいずれかに記載の印刷装置。
【請求項５】
レッド色、グリーン色、及びブルー色のそれぞれの色用の前記濃インク用ヘッドは、同じ前記ヘッド列に配設され、
レッド色、グリーン色、及びブルー色のそれぞれの色用の前記淡インク用ヘッドは、同じ前記ヘッド列に配設されることを特徴とする請求項４に記載の印刷装置。
【請求項６】
少なくともいずれかの前記１次色用のインクジェットヘッドは、レッド色、グリーン色、及びブルー色のそれぞれの色用の前記濃インク用ヘッドと同じ前記ヘッド列、又は、レッド色、グリーン色、及びブルー色のそれぞれの色用の前記淡インク用ヘッドと同じ前記ヘッド列に配設されることを特徴とする請求項５に記載の印刷装置。
【請求項７】
全ての前記１次色用のインクジェットヘッドが、レッド色、グリーン色、及びブルー色のそれぞれの色用の前記濃インク用ヘッドと同じ前記ヘッド列、又は、レッド色、グリーン色、及びブルー色のそれぞれの色用の前記淡インク用ヘッドと同じ前記ヘッド列に配設されることを特徴とする請求項６に記載の印刷装置。
【請求項８】
前記複数のインクジェットヘッドは、４以下の列数の複数の前記ヘッド列に分けて配設されることを特徴とする請求項１から７のいずれかに記載の印刷装置。
【請求項９】
前記１次色用のインクジェットヘッドとして、互いに異なる色の前記１次色のインクを吐出する複数のインクジェットヘッドを備え、かつ、それぞれの色用の前記１次色用のインクジェットヘッドとして、１種類の濃度のインク用のインクジェットヘッドのみを備えることを特徴とする請求項１から８のいずれかに記載の印刷装置。
【請求項１０】
１回の主走査動作において前記媒体の各位置に吐出されるインクの量の合計を主走査時インク量と定義し、印刷の解像度に応じて設定されるインクの吐出位置の全てに１回のインクの吐出を行った場合の前記主走査時インク量を１００％の前記主走査時インク量と定義した場合、前記複数のインクジェットヘッドは、複数の前記ヘッド列が形成されるように配設されることにより、最大の前記主走査時インク量が１００％以下になるように、前記媒体へインクを吐出することを特徴とする請求項１から９のいずれかに記載の印刷装置。
【請求項１１】
少なくともいずれかの前記１次色用のインクジェットヘッドは、吐出するインクの容量として少なくとも２種類の容量を設定可能なインクジェットヘッドであることを特徴とする請求項１から１０のいずれかに記載の印刷装置。
【請求項１２】
媒体に対してインクジェット方式で印刷を行う印刷方法であって、
前記媒体へインクを吐出する複数のインクジェットヘッドに、
前記媒体に対して相対的に予め設定された主走査方向へ移動しつつインクを吐出する主走査動作と、前記主走査方向と直交する副走査方向へ前記媒体に対して相対的に移動する副走査動作とを行わせ、
前記主走査方向へ１個以上のインクジェットヘッドが並ぶ列をヘッド列と定義した場合、前記複数のインクジェットヘッドは、前記副走査方向における位置がずれた複数の前記ヘッド列が形成されるように配設され、
前記複数のインクジェットヘッドとして、少なくとも、
混色により減法混色法での色の表現が原理的に可能になる基本色である１次色用のインクジェットヘッドと、
複数の前記１次色の混色により原理的に得られる色である２次色用のインクジェットヘッドと
を用い、
前記２次色用のインクジェットヘッドとして、少なくとも、レッド色又はブルー色のいずれかの色について、相対的に濃い色のインクを吐出するインクジェットヘッドである濃インク用ヘッドと、相対的に薄い色のインクを吐出するインクジェットヘッドである淡インク用ヘッドとを用い、
前記レッド色又はブルー色のいずれかの色について、前記濃インク用ヘッドと、前記淡インク用ヘッドとは、異なる前記ヘッド列に配設されることを特徴とする印刷方法。
【発明の詳細な説明】
【技術分野】
【０００１】
本発明は、印刷装置及び印刷方法に関する。
【背景技術】
【０００２】
従来、インクジェット方式で印刷を行うインクジェットプリンタが広く用いられている。また、インクジェットプリンタ用のインクとして、シアン色やマゼンタ色について、通常の濃度のインクよりも色の濃度の薄い淡インク（ライトインク）を用いる構成が知られている（例えば、特許文献１参照。）。
【先行技術文献】
【特許文献】
【０００３】
【特許文献１】特開２０００−６２１５３号公報
【発明の概要】
【発明が解決しようとする課題】
【０００４】
インクジェット方式でカラー印刷を行う方法として、従来から、イエロー（Ｙ）色、マゼンタ（Ｍ）色、シアン（Ｃ色）、及びブラック（Ｋ）色の４色のインク（基本４色インク）を用いる方法（４色分版方式）が広く用いられている。また、近年、ＹＭＣＫの４色に加え、レッド（Ｒ）色、グリーン（Ｇ）色、及びブルー（Ｂ）色の３色を加えた７色のインクで印刷を行う方法（７色分版方式）等も検討されている。この場合、ＲＧＢの各色のインクを用いることにより、高精彩な印刷をより適切に行うことができる。また、複数色のインクを混色させることなくＲＧＢの各色を表現できるため、印刷対象の媒体（メディア）の各位置に着弾させるインクの量（着弾量）を低減させることも可能になる。また、この場合、滲みが発生しにくくなるため、高速な印刷をより適切に行うこと等も可能になる。
【０００５】
しかし、ＲＧＢの各色のインク等を用いて印刷を行う構成については、まだ十分に検討されていない事項も多く残っている。そのため、従来、ＲＧＢの各色のインク等を用いる場合に関し、より適切な構成で印刷を行うことが望まれていた。そこで、本発明は、上記の課題を解決できる印刷装置及び印刷方法を提供することを目的とする。
【課題を解決するための手段】
【０００６】
本願の発明者は、例えば７色分版方式等のように、減法混色法での基本色となる１次色のインクに加えて２次色のインクを用いる場合に関し、鋭意研究を行った。この場合、１次色とは、例えば、ＹＭＣの各色のことである。また、２次色とは、例えば、ＲＧＢの各色のような、複数の１次色の混色により原理的に得られる色のことである。
【０００７】
また、この鋭意研究により、本願の発明者は、２次色を用いることで印刷結果において粒状感（粒状性、粒子化）が目立ちやすくなる場合があることを見出した。また、この現象に関し、２次色のインクのドットが１次色のインクのドットと比べて暗く見えることが原因であると考えた。より具体的に、減法混色法の基本色である１次色のインクは、所定の波長範囲の光を吸収する性質を有している。また、上記のように、２次色とは、複数の１次色の混色により原理的に得られる色である。そして、この場合、２次色のインクが光を吸収する波長範囲は、混色されるそれぞれの１次色が光を吸収する波長範囲を合わせた範囲になると考えられる。また、その結果、２次色のインクのドットが反射する光の量は、１次色のインクのドットが反射する光と比べて、少なくなる。また、この場合、反射する光が少なくなることにより、２次色のインクのドットは、１次色のインクのドットと比べて明度が低く、暗く見えることになる。
【０００８】
そこで、本願の発明者は、２次色のインクについて、通常の色の濃度のインクである濃インク（濃色インク）に加え、濃インクと比べて色が薄いインクである淡インク（淡色インク）を用いることを考えた。このように構成すれば、例えば、薄い色を表現する部分について淡インクを用いて印刷を行うことで、粒状感が目立つことを適切に防ぐことができる。また、本願の発明者は、この場合において、２次色のインクのうち、Ｒ色やＢ色について、特に粒状感が目立ちやすくなることを見出した。そのため、本願の発明者は、少なくともＲ色又はＢ色のいずれかについて、淡インクを用いることを考えた。
【０００９】
しかし、この場合、単に淡インクを用いると、媒体上の単位面積に対して単位時間に吐出するインクの合計量が過剰になる場合がある。また、その結果、滲みが発生しやすくなり、高速な印刷を行うことが難しくなる場合がある。これに対し、本願の発明者は、更なる鋭意研究により、Ｒ色やＢ色等の２次色用の淡インクを単に用いるのではなく、濃インク用のインクジェットヘッド（濃インク用ヘッド）と淡インク用のインクジェットヘッド（淡インク用ヘッド）とについて、各回の主走査動作時にインクを吐出する領域がずれるように、副走査方向における位置をずらして配設することを考えた。このように構成すれば、例えば、２次色用の淡インクを用いる場合にも、媒体上の単位面積に対して単位時間に吐出するインクの合計量が過剰になることを適切に防ぐことができる。
【００１０】
また、本願の発明者は、このような効果を得るために必要な特徴を見出し、本発明に至った。上記の課題を解決するために、本発明は、媒体に対してインクジェット方式で印刷を行う印刷装置であって、前記媒体へインクを吐出する複数のインクジェットヘッドと、前記媒体に対して相対的に予め設定された主走査方向へ移動しつつインクを吐出する主走査動作を前記複数のインクジェットヘッドに行わせる主走査駆動部と、前記主走査方向と直交する副走査方向へ前記媒体に対して相対的に移動する副走査動作を前記複数のインクジェットヘッドに行わせる副走査駆動部とを備え、前記主走査方向へ１個以上のインクジェットヘッドが並ぶ列をヘッド列と定義した場合、前記複数のインクジェットヘッドは、前記副走査方向における位置がずれた複数の前記ヘッド列が形成されるように配設され、前記複数のインクジェットヘッドとして、少なくとも、混色により減法混色法での色の表現が原理的に可能になる基本色である１次色用のインクジェットヘッドと、複数の前記１次色の混色により原理的に得られる色である２次色用のインクジェットヘッドとを備え、前記２次色用のインクジェットヘッドとして、少なくとも、レッド色又はブルー色のいずれかの色について、相対的に濃い色のインクを吐出するインクジェットヘッドである濃インク用ヘッドと、相対的に薄い色のインクを吐出するインクジェットヘッドである淡インク用ヘッドとを備え、前記レッド色又はブルー色のいずれかの色について、前記濃インク用ヘッドと、前記淡インク用ヘッドとは、異なる前記ヘッド列に配設される。
【００１１】
このように構成した場合、１次色及び２次色のインクを用いて印刷を行うことにより、例えば、高精彩な印刷をより適切に行うことができる。また、この場合、レッド（Ｒ）色又はブルー（Ｂ）色の少なくともいずれかについて淡インクを用いることにより、粒状感が目立つことを適切に防ぐことができる。更には、２次色用の淡インク用ヘッドについて、同色の濃インク用ヘッドと異なるヘッド列に配設することで、副走査方向における位置をずらして適切に配設することができる。また、これにより、例えば、２次色用の淡インクを用いる場合にも、媒体上の単位面積に対して単位時間に吐出するインクの合計量が過剰になることを適切に防ぐことができる。また、この場合、インクの合計量を低減することにより、例えば、インクの滲みを発生しにくくすることができる。また、インクの滲みを発生しにくくすることで、例えば、高速な印刷をより適切に行うことができる。そのため、このように構成すれば、例えば、高精彩かつ高速な印刷をより適切に行うことができる。
【００１２】
ここで、濃インクについて、相対的に濃い色とは、同じ色用の淡インクよりも濃い色のことである。また、淡インクについて、相対的に薄い色とは、同じ色用の淡インクよりも薄い色のことである。また、この構成において、複数のインクジェットヘッドのそれぞれが吐出するインクとしては、例えば、蒸発乾燥型のインクを好適に用いることができる。蒸発乾燥型のインクとは、例えば、媒体に定着させるために溶媒を蒸発させるインクのことである。この場合、各色のインクは、例えば、色材及び溶媒を含む。また、印刷装置は、インクを乾燥させるための乾燥手段（例えば、ヒータ等）を更に備えることが好ましい。また、この場合、乾燥手段について、インクを定着させる定着手段の一例と考えることができる。
【００１３】
また、この構成において、それぞれのヘッド列におけるインクジェットヘッドは、例えば、他のヘッド列におけるインクジェットヘッドと副走査方向における位置が重ならないように配設される。また、２次色用の淡インク用ヘッドとしては、例えば、Ｒ色及びＢ色の両方の淡インク用ヘッドを備えることがより好ましい。また、この構成において、１次色のインクとしては、例えば、イエロー（Ｙ）色、マゼンタ（Ｍ）色、及びシアン（Ｃ色）の各色のインクを好適に用いることができる。また、２次色のインクとしては、レッド（Ｒ）色、グリーン（Ｇ）色、及びブルー（Ｂ）色の各色のインクを好適に用いることができる。また、この場合、２次色について、例えば、２種類の１次色を混色させた色等と考えることもできる。また、この構成において、印刷装置は、例えば、少なくとも７色のインクを用いる７色分版方式での印刷を行う。この場合、印刷装置は、黒色のインクを吐出するインクジェットヘッドである黒色用ヘッドを更に備える。また、この場合、黒色のインクについて、３次色のインクと考えることができる。
【００１４】
また、黒色のインクを用いて印刷を行う場合において、黒色のインクのドットは、他の色のインクと比べ、粒状感が目立つ原因に特になりやすい。そのため、黒色のインクを用いる場合、黒色用ヘッドとしても、濃インク用ヘッド及び淡インク用ヘッドを備えることが好ましい。このように構成すれば、例えば、印刷結果において粒状感が目立つことを適切に防ぐことができる。また、黒色のインクについて淡インクを用いる場合、通常、黒色の濃インクと淡インクとを媒体上の同じ位置に吐出することは少ない。そのため、黒色のインク用の濃インク用ヘッド及び淡インク用ヘッドについては、同じヘッド列に配設したとしても、媒体上の単位面積に対して単位時間に吐出するインクの合計量が過剰になることは生じにくい。そのため、黒色のインク用の濃インク用ヘッド及び淡インク用ヘッドについては、同じヘッド列に配設してもよい。
【００１５】
また、粒状感が目立つことを適切に防ぎつつ高精彩な印刷をより適切に行うためには、全ての２次色について淡インクを用いることが好ましい。この場合、印刷装置は、例えば、２次色用のインクジェットヘッドとして、少なくとも、ＲＧＢの各色について、濃インク用ヘッド及び淡インク用ヘッドを備える。また、この場合、同色の濃インク用ヘッド及び淡インク用ヘッドについて、異なるヘッド列に配設することが好ましい。より具体的に、この場合、ＲＧＢの各色について、同じ色用の濃インク用ヘッドと、淡インク用ヘッドとを異なるヘッド列に配設することが考えられる。このように構成すれば、例えば、滲みの発生や粒状感が目立つこと等を防ぎつつ、高精彩な印刷をより適切に行うことができる。
【００１６】
また、この場合、２次色用の濃インク用ヘッドを１つのヘッド列に配設して、２次色用の淡インク用ヘッドを他の１つのヘッド列に配設すること等が考えられる。より具体的に、この場合、例えば、ＲＧＢの各色用の濃インク用ヘッドは、同じヘッド列に配設される。また、ＲＧＢの各色用の淡インク用ヘッドは、濃インク用ヘッドとは別の同じヘッド列に配設される。このように構成すれば、例えば、ヘッド列が多くなりすぎることを防ぎつつ、２次色用のインクジェットヘッドを適切に配設することができる。
【００１７】
また、この場合において、よりコンパクトにインクジェットヘッドを配設することを考えると、１次色用のインクジェットヘッドについて、いずれかの２次色用のインクジェットヘッドと同じヘッド列に配設することも考えられる。より具体的に、この場合、少なくともいずれかの１次色用のインクジェットヘッドについて、ＲＧＢの各色用の濃インク用ヘッドと同じヘッド列に配設することが考えられる。また、少なくともいずれかの１次色用のインクジェットヘッドについて、ＲＧＢの各色用の淡インク用ヘッドと同じヘッド列に配設してもよい。また、この場合、全ての１次色用のインクジェットヘッドについて、ＲＧＢの各色用の濃インク用ヘッド又はＲＧＢの各色用の淡インク用ヘッドと同じヘッド列に配設してもよい。これらのように構成すれば、例えば、多数のインクジェットヘッドを用いる場合にも、よりコンパクトにインクジェットヘッドを配設することができる。
【００１８】
また、この場合、印刷装置が備える複数のインクジェットヘッドについて、４以下の列数の複数のヘッド列に分けて配設することが好ましい。印刷装置が備える複数のインクジェットヘッドとは、例えば、印刷装置において印刷に用いる全てのインクジェットヘッドのことである。また、ヘッド列の列数については、３列以下にすることがより好ましい。このように構成すれば、例えば、ヘッド列の列数が多くなりすぎることを適切に防ぐことができる。
【００１９】
また、粒状感が目立つことをより確実に防ぐためには、印刷に使用する全ての色のインクについて、濃インク及び淡インクを用いることが好ましい。しかし、この場合、インクジェットヘッドの個数が多くなりすぎ、印刷装置の大型化やコストの増大を招くこと等も考えられる。これに対し、上記においても説明をしたように、印刷結果における粒状感は、２次色を用いることで特に目立ちやすくなると考えられる。そのため、インクジェットヘッドの個数が多くなりすぎることを防ぐためには、例えば、１次色については、淡インク及び濃インクを用いるのではなく、１種類の濃度のインク（例えば濃インク）のみを用いることも考えられる。より具体的に、この場合、印刷装置は、１次色用のインクジェットヘッドとして、例えば、互いに異なる色の１次色のインクを吐出する複数のインクジェットヘッドを備える。また、それぞれの色用の１次色用のインクジェットヘッドとして、１種類の濃度のインク用のインクジェットヘッドのみを備える。
【００２０】
また、複数のインクジェットヘッドの好ましい配置については、例えば、媒体上に吐出されるインクの量と関連付けて考えることもできる。例えば、１回の主走査動作において媒体の各位置に吐出されるインクの量の合計を主走査時インク量と定義し、印刷の解像度に応じて設定されるインクの吐出位置の全てに１回のインクの吐出を行った場合の主走査時インク量を１００％の主走査時インク量と定義した場合、複数のインクジェットヘッドについて、例えば、複数のヘッド列が形成されるように配設されることにより、最大の主走査時インク量を低減することが考えられる。また、この場合、最大の主走査時インク量が１００％以下になるように複数のインクジェットヘッドを配設することが好ましい。このように構成すれば、例えば、媒体上の単位面積に対して単位時間に吐出するインクの合計量が過剰になることを適切に防ぐことができる。
【００２１】
また、粒状感が目立つことを防ぐためには、淡インクを用いる方法の他に、インクジェットヘッドから吐出するインクの容量を可変にして、小さなサイズのインクのドットを形成すること等も考えられる。そのため、この構成においても、少なくとも一部の色用のインクジェットヘッドとして、吐出するインクの容量として少なくとも２種類の容量を設定可能なインクジェットヘッド（吐出容量可変ヘッド）を用いてもよい。より具体的には、例えば、少なくともいずれかの１次色用のインクジェットヘッドとして、吐出容量可変ヘッドを用いることが考えられる。また、この場合、例えば、淡インクを用いない色用のインクジェットヘッドについて、吐出容量可変ヘッドにすること等が考えられる。このように構成すれば、例えば、インクジェットヘッドの個数が多くなりすぎることを防ぎつつ、粒状感が目立つことを適切に防ぐことができる。
【００２２】
また、本発明の構成として、上記と同様の特徴を有する印刷方法等を用いることも考えられる。この場合も、例えば、上記と同様の効果を得ることができる。
【発明の効果】
【００２３】
本発明によれば、例えば、高精彩な印刷をより適切に行うことができる。
【図面の簡単な説明】
【００２４】
【図１】本発明の一実施形態に係る印刷装置１０の一例を示す図である。図１（ａ）は、印刷装置１０の要部の構成の一例を示す。図１（ｂ）は、ヘッド部１２の構成の一例を示す。図１（ｃ）は、ヘッド部１２が有するインクジェットヘッドの構成の一例を示す。
【図２】様々なヘッド部１２の構成の例を示す。
【図３】様々なヘッド部１２の構成の例を示す。
【図４】様々なヘッド部１２の構成の例を示す。
【図５】様々なヘッド部１２の構成の例を示す。
【図６】複数の色のインクの混色により表現される色の例について説明をする図である。
【図７】媒体上の単位面積に対して単位時間に吐出するインクの合計量について説明をする図である。
【図８】色の濃度がより低い淡インクを用いる場合の最大着弾インク量について説明をする図である。
【図９】色の濃度がより低い淡インクを用いる場合の最大着弾インク量について説明をする図である。
【発明を実施するための形態】
【００２５】
以下、本発明に係る実施形態を、図面を参照しながら説明する。図１は、本発明の一実施形態に係る印刷装置１０の一例を示す。図１（ａ）は、印刷装置１０の要部の構成の一例を示す。本例において、印刷装置１０は、印刷対象の媒体（メディア）５０に対してインクジェット方式で印刷を行うインクジェットプリンタであり、ヘッド部１２、プラテン１４、主走査駆動部１６、副走査駆動部１８、ヒータ２０、及び制御部３０を備える。また、本例において、印刷装置１０は、７色のインクを用いて、媒体５０に対し、フルカラーの印刷を行う。また、以下に説明をする点を除き、印刷装置１０は、公知のインクジェットプリンタと同一又は同様の特徴を有してよい。例えば、印刷装置１０は、図示した要部の構成以外に、公知のインクジェットプリンタと同一又は同様の構成を更に有してよい。
【００２６】
ヘッド部１２は、媒体５０に対して複数色のインクを吐出する部分であり、複数のインクジェットヘッドを有する。また、本例において、ヘッド部１２における複数のインクジェットヘッドのそれぞれが吐出するインクとしては、蒸発乾燥型のインクを用いる。蒸発乾燥型のインクとは、例えば、媒体に定着させるために溶媒を蒸発させるインクのことである。この場合、各色のインクは、例えば、色材及び溶媒を含む。また、ヘッド部１２のより具体的な構成については、後に更に詳しく説明をする。プラテン１４は、媒体５０を支持する台状部材であり、ヘッド部１２と対向する位置において上面に媒体５０を載置する。また、これにより、プラテン１４は、ヘッド部１２と対向させた状態で媒体５０を支持する。
【００２７】
主走査駆動部１６は、ヘッド部１２に主走査動作を行わせる駆動部である。この場合、ヘッド部１２に主走査動作を行わせるとは、ヘッド部１２が有する複数のインクジェットヘッドに主走査動作を行わせることである。主走査動作とは、例えば、媒体５０に対して相対的に予め設定された主走査方向へ移動しつつインクを吐出する動作のことである。また、本例において、主走査方向は、図中に示すＹ方向と平行な方向である。主走査駆動部１６は、例えば、主走査方向における媒体５０の位置を固定して、ヘッド部１２の側を移動させることにより、ヘッド部１２に主走査動作を行わせる。また、主走査駆動部１６は、主走査方向におけるヘッド部１２の位置を固定して、媒体５０の側を移動させることにより、ヘッド部１２に主走査動作を行わせてもよい。
【００２８】
副走査駆動部１８は、ヘッド部１２に副走査動作を行わせる駆動部である。この場合、ヘッド部１２に副走査動作を行わせるとは、ヘッド部１２が有する複数のインクジェットヘッドに副走査動作を行わせることである。副走査動作とは、例えば、主走査方向と直交する副走査方向へ媒体５０に対して相対的に移動する動作のことである。また、本例において、副走査方向は、図中に示すＸ方向と平行な方向である。副走査駆動部１８は、例えば、主走査動作の合間にヘッド部１２に副走査動作を行わせることで、媒体５０においてヘッド部１２と対向する領域を順次変更する。また、副走査動作については、例えば、ヘッド部１２に対して相対的に媒体５０を送る送り動作等と考えることもできる。副走査駆動部１８は、例えば、副走査方向におけるヘッド部１２の位置を固定して、媒体５０の側を移動させることにより、ヘッド部１２に副走査動作を行わせる。この場合、例えば、ローラ等を用いて副走査方向と平行な搬送方向へ媒体５０を搬送すること等が考えられる。また、副走査駆動部１８は、副走査方向における媒体５０の位置を固定して、ヘッド部１２の側を移動させることにより、ヘッド部１２に副走査動作を行わせてもよい。
【００２９】
ヒータ２０は、媒体５０を加熱する加熱手段であり、プラテン１４内に配設されることにより、ヘッド部１２と対向する位置又はその近辺において媒体５０を加熱する。また、これにより、媒体５０に付着したインク中の溶媒を蒸発させて、インクを媒体５０に定着させる。また、この場合、ヒータ２０については、インクを乾燥させるための乾燥手段の一例と考えることができる。
【００３０】
尚、乾燥手段としては、例えば、ヒータ２０以外の構成を用いること等も考えられる。例えば、インクとして、紫外線等のエネルギー線の照射により発熱するインク等を用いる場合、エネルギー線を照射する照射部と乾燥手段として用いることが考えられる。この場合、エネルギー線の照射により発熱するインクとは、例えば、エネルギー線の照射によりインク自身が発熱することで、少なくとも滲みが発生しない粘度にまでインクの粘度が高まるインクのことである。また、エネルギー線の照射部は、例えば、ヘッド部１２内に配設されて、媒体５０への着弾の直後のインクに対し、エネルギー線を照射する。また、このようなインクについては、例えば、エネルギー線の照射により瞬間的に乾燥する瞬間乾燥型のインク等と考えることができる。この場合、エネルギー線の照射部は、エネルギー線を照射することで、インクの温度について、例えば、インク中の溶媒の沸点の８０％以上の温度にまで上昇させる。また、エネルギー線の照射部は、エネルギー線を照射することで、インク中の溶媒を沸騰させてもよい。また、このような瞬間乾燥型のインクとしては、例えば、エネルギー線を吸収する吸収剤（例えば、紫外線吸収剤等）を含むインク等を好適に用いることができる。また、エネルギー線として紫外線を用いる場合、このようなインクについては、例えば、紫外線の照射により瞬間的に乾燥するインク（ＵＶ瞬間乾燥型インク）等と考えることができる。また、ヒータ２０やエネルギー線の照射部については、例えば、媒体５０にインクを定着させるための定着手段の一例と考えることもできる。また、印刷装置１０において、インクとしては、例えば、蒸発乾燥型のインク以外のインク（例えば、紫外線硬化型インク等）を用いること等も考えられる。この場合、印刷装置１０は、使用するインクの種類に応じた定着手段を備えることが好ましい。
【００３１】
制御部３０は、例えば印刷装置１０のＣＰＵであり、印刷装置１０の各部の動作を制御する。本例によれば、例えば、媒体５０に対して適切に印刷を行うことができる。
【００３２】
続いて、ヘッド部１２のより具体的な構成について、説明をする。図１（ｂ）は、ヘッド部１２の構成の一例を示す。図１（ｃ）は、ヘッド部１２が有するインクジェットヘッドの構成の一例を示す。上記においても説明をしたように、本例において、ヘッド部１２は、複数のインクジェットヘッドを有する。また、より具体的に、本例において、ヘッド部１２は、キャリッジ１００及び複数のインクジェットヘッド１０２を有する。キャリッジ１００は、複数のインクジェットヘッド１０２を保持する保持部材であり、図中に示すように、複数のインクジェットヘッド１０２を並べて保持する。また、図１（ｂ）においては、ヘッド部１２が有する複数のインクジェットヘッド１０２について、図中に１０２Ｙ〜１０２Ｌｂと示すように、それぞれのインクジェットヘッド１０２が吐出するインクの色を示す記号を付して図示している。
【００３３】
また、この場合、ヘッド部１２における各インクジェットヘッド１０２としては、同一のインクジェットヘッドを好適に用いることができる。この場合、インクジェットヘッドが同一であるとは、例えば、インクジェットヘッドの設計上の構造が同一であることである。また、より具体的に、インクジェットヘッドが同一であるとは、例えば、インクジェットヘッドの型番が同一であることである。また、この場合、インクジェットヘッド１０２としては、例えば図１（ｃ）に示すように、副走査方向へ複数のノズルが並ぶインクジェットヘッドを用いることが考えられる。副走査方向へ複数のノズルが並ぶとは、例えば、印刷装置１０に取り付けられた状態で副走査方向へ複数のノズルが並ぶことである。
【００３４】
また、本例において、ヘッド部１２は、イエロー（Ｙ）色、マゼンタ（Ｍ）色、シアン（Ｃ）色、ブラック（Ｋ）色、レッド（Ｒ）色、グリーン（Ｇ）色、及びブルー（Ｂ）色の互いに異なる７色用の複数のインクジェットヘッドを有する。また、これらの色のうち、Ｋ色及びＲＧＢの各色について、色の濃さが互いに異なる複数のインクジェットヘッドを有する。より具体的に、図１（ｂ）に示す構成において、インクジェットヘッド１０２Ｙは、Ｙ色用のインクジェットヘッド１０２である。インクジェットヘッド１０２Ｍは、Ｍ色用のインクジェットヘッド１０２である。インクジェットヘッド１０２Ｃは、Ｃ色用のインクジェットヘッド１０２である。インクジェットヘッド１０２Ｋは、Ｋ色用のインクジェットヘッド１０２である。インクジェットヘッド１０２Ｒは、Ｒ色用のインクジェットヘッド１０２である。インクジェットヘッド１０２Ｇは、Ｇ色用のインクジェットヘッド１０２である。インクジェットヘッド１０２Ｂは、Ｂ色用のインクジェットヘッド１０２である。また、これらのインクジェットヘッド１０２については、例えば、標準の色の濃さのインクである濃インクを吐出するインクジェットヘッド１０２と考えることができる。また、上記においても説明をしたように、本例において、ヘッド部１２は、Ｋ色及びＲＧＢの各色について、色の濃さが互いに異なる複数のインクジェットヘッドを有する。そして、この場合、インクジェットヘッド１０２Ｋ、インクジェットヘッド１０２Ｒ、インクジェットヘッド１０２Ｇ、及びインクジェットヘッド１０２Ｒについては、各色について相対的に濃い色のインクを吐出するインクジェットヘッドである濃インク用ヘッドの一例と考えることができる。
【００３５】
また、インクジェットヘッド１０２Ｌｋ、インクジェットヘッド１０２Ｌｒ、インクジェットヘッド１０２Ｌｇ、及びインクジェットヘッド１０２Ｌｋは、同じ色の濃インクよりも薄い色のインクである淡インク（ライトインク、低濃度インク）を吐出するインクジェットヘッド１０２である。また、インクジェットヘッド１０２Ｌｋ、インクジェットヘッド１０２Ｌｒ、インクジェットヘッド１０２Ｌｇ、及びインクジェットヘッド１０２Ｌｋについては、各色について相対的に薄い色のインクを吐出するインクジェットヘッドである淡インク用ヘッドの一例と考えることができる。より具体的に、この場合、インクジェットヘッド１０２Ｌｋは、Ｋ色の淡インク用のインクジェットヘッド１０２である。インクジェットヘッド１０２Ｌｒは、Ｒ色の淡インク用のインクジェットヘッド１０２である。インクジェットヘッド１０２Ｌｇは、Ｇ色の淡インク用のインクジェットヘッド１０２である。また、インクジェットヘッド１０２Ｌｂは、Ｂ色の淡インク用のインクジェットヘッド１０２である。
【００３６】
ここで、濃インクと淡インクとの関係について、同じ色であるとは、例えば、実質的に同じ色なことである。また、実質的に同じ色であるとは、例えば、印刷に求められる品質等に応じて、同じ色と扱える範囲の色であることである。また、同じ色と扱える範囲とは、例えば、印刷時に行う分版の処理等において、同じ色として扱える範囲のことである。また、濃インクについて、相対的に濃い色とは、同じ色用の淡インクよりも濃い色のことである。また、淡インクについて、相対的に薄い色とは、同じ色用の淡インクよりも薄い色のことである。また、本例において、印刷装置１０は、複数色のインクを用いることで、減法混色法により、様々な色を表現する。そして、この場合、ＹＭＣの各色は、例えば、減法混色法での基本色である１次色の一例である。また、１次色については、例えば、混色により減法混色法での色の表現が原理的に可能になる基本色等と考えることもできる。また、インクジェットヘッド１０２Ｙ、インクジェットヘッド１０２Ｍ、及びインクジェットヘッド１０２Ｃは、１次色用のインクジェットヘッド１０２の一例である。また、この場合、インクジェットヘッド１０２Ｙ、インクジェットヘッド１０２Ｍ、及びインクジェットヘッド１０２Ｃについて、例えば、互いに異なる色の１次色のインクを吐出する複数のインクジェットヘッドと考えることができる。また、本例においては、１次色のインクとして、淡インクは用いず、濃インクを用いる。そのため、本例の構成については、それぞれの色の１次色用のインクジェットヘッド１０２として１種類の濃度のインク用のインクジェットヘッド１０２のみを用いる構成等と考えることができる。
【００３７】
また、本例において、ＲＧＢの各色は、複数の１次色の混色により原理的に得られる色である２次色の一例である。この場合、混色により原理的に得られる色とは、例えば、色空間上で考える混色の原理上で得られる色のことである。また、２次色については、２種類の１次色を混色させた色等と考えることもできる。また、より具体的に、本例において、ＲＧＢの各色は、２種類の１次色の中間の色になっている。また、ＲＧＢの各色のインクについては、例えば、１次色用のインクを実際に混ぜるのではなく、ＲＧＢの各色用の色材（顔料等）を用いることでそれぞれの色への調整を行う。また、本例において、インクジェットヘッド１０２Ｒ、インクジェットヘッド１０２Ｇ、インクジェットヘッド１０２Ｂ、インクジェットヘッド１０２Ｌｒ、インクジェットヘッド１０２Ｌｇ、及びインクジェットヘッド１０２Ｌｂは、２次色用のインクジェットヘッド１０２の一例である。また、本例において用いるインクの色のうち、Ｋ色については、３次色と考えることができる。また、インクジェットヘッド１０２Ｋ及びインクジェットヘッド１０２Ｌｋは、黒色用ヘッドの一例である。本例によれば、例えば、１次色、２次色、及ぶ３次色の各色を含む７色のインクを用いる７色分版方式での印刷を行うことにより、高精彩な印刷を適切に行うことができる。７色分版方式とは、例えば、７色以上のインクを用いて印刷を行う方式のことである。
【００３８】
また、本例においては、更に、Ｋ色及びＲＧＢの各色について濃インクに加えて淡インクを用いることで、粒状感が目立つことを適切に防ぐことができる。より具体的、減法混色法では、媒体５０上に形成した各色のインクのドットにおいて一部の波長範囲の光を吸収することにより、様々な色を表現する。そして、この場合、２次色のインクが光を吸収する波長範囲は、混色されるそれぞれの１次色が光を吸収する波長範囲を合わせた範囲になると考えられる。また、その結果、２次色のインクのドットが反射する光の量は、１次色のインクのドットが反射する光と比べて、少なくなる。また、同様にして、３次色である黒色のインクのドットが反射する光の量は、１次色や２次色のインクのドットが反射する光と比べて、更に少なくなる。そして、この場合、反射する光が少なくなることにより、２次色や３次色のインクのドットは、１次色のインクのドットと比べて明度が低くなり、暗く見えることになる。また、７色分版方式で印刷を行う場合、複数の１次色のインクのドットの代わりに１つの２次色のインクのドットを形成することで、ドットの密度が少なくなること等も考えられる。また、その結果、個々のインクのドットが目立ちやすくなる場合もある。そして、これらの要因により、７色分版方式での印刷を行う場合において、単に２次色や３次色のインクを用いると、粒状感が目立ちやすくなるおそれがある。これに対し、本例においては、２次色及び３次色の各色について淡インクを用いることで、粒状感が目立つことを適切に防ぐことができる。
【００３９】
ここで、淡インクを用いて粒状感が目立つことをより確実に防ぐためには、印刷に使用する全ての色のインクについて、濃インク及び淡インクを用いることが好ましい。そして、この場合、２次色及び３次色のみではなく、１次色についても、淡インクを用いればよいようにも思われる。しかし、この場合、ヘッド部１２が有するインクジェットヘッド１０２の数が多くなり過ぎ、ヘッド部１２が大型化し過ぎることが考えられる。また、インクジェットヘッド１０２の数の増加やヘッド部１２の大型化により、装置のコストが大きく上昇すること等も考えられる。これに対し、上記においても説明をしたように、印刷結果における粒状感は、２次色や３次色を用いることで特に目立ちやすくなると考えられる。そのため、本例においては、１次色については淡インク及び濃インクを用いるのではなく、１種類の濃度のインク（濃インク）のみを用い、２次色及び３次色についてのみ濃インク及び淡インクを用いている。そのため、本例によれば、例えば、インクジェットヘッドの個数が多くなりすぎることを防ぎ、ヘッド部１２の過度な大型化やコストの上昇を抑えることができる。また、これにより、例えば、７色分版方式で印刷を行う場合において、粒状感が目立つことをより適切に防ぐことができる。また、この場合において、Ｋ色のインクのドットは、他の色のインクと比べ、特に、粒状感が目立つ原因になりやすい。これに対し、本例においては、Ｋ色について淡インクを用いることにより、印刷結果において粒状感が目立つことをより適切に防ぐことができる。
【００４０】
また、淡インクを用いる場合、同じ濃さを表現するために必要なインクの量について、濃インクのみを用いる場合よりも多くなることが考えられる。そのため、単に淡インクを用いると、媒体５０上の単位面積に対して単位時間に吐出するインクの合計量が多くなることも考えられる。また、その結果、インクの合計量が過剰になり、インクの滲み等が発生しやすくなる場合もある。より具体的に、この場合、インクが滲みやすくなることで、例えば受像層が形成されていない媒体を用いると、高い品質での印刷を行うことが難しくなると考えられる。また、その結果、例えば、紙、布、プラスチックフィルム等の媒体５０を使用することが難しくなる場合がある。また、この点に関し、例えばソルベントインクを用いる場合であれば、受像層の形成（コート）がされていない塩化ビニルのフィルム等を媒体として用いる場合にも、プリントヒータでの加熱を行うことで、印刷が可能になる場合もある。しかし、この場合も、使用可能になるのは、インクの溶媒に対する接触角が大きくなる特性の塩化ビニルのフィルム等のみであり、使用可能な媒体５０が極めて限定されることになる。そのため、例えばポリエステルやプロピレン等の媒体５０を用いる場合には、滲みの問題が大きくなり、通常、高品質の印刷を行うことは困難になる。また、塩化ビニルのフィルムを用いる場合にも、媒体５０上の単位面積に対して単位時間に吐出するインクの合計量が多くなると、滲みの問題が大きくなると考えられる。また、滲みの問題以外にも、使用するインクや媒体５０の種類等によっては、媒体５０が膨潤して、カールやコックリング等の問題が生じる場合もある。より具体的に、例えば、インクの溶媒の主成分が水であるインクを用いる場合等において、紙や布地等の媒体５０を用いると、媒体５０が膨潤することで、カールやコックリング等の問題が生じやすくなる。
【００４１】
これに対し、本例においては、図１（ｂ）に示すように、複数のヘッド列２０２ａ、ｂに分けてヘッド部１２におけるインクジェットヘッド１０２を配設することにより、インクの合計量の最大値を適切に低減している。また、これにより、インクの滲み等の問題が発生することを適切に防いでいる。より具体的に、この場合、ヘッド列２０２ａ、ｂとは、主走査方向へ１個以上のインクジェットヘッド１０２が並ぶ列のことである。また、本例において、ヘッド部１２における複数のインクジェットヘッド１０２は、副走査方向における位置がずれた２つのヘッド列２０２ａ、ｂが形成されるように配設される。また、これにより、それぞれのヘッド列におけるインクジェットヘッド１０２は、他のヘッド列におけるインクジェットヘッド１０２と副走査方向における位置が重ならないように配設される。より具体的に、本例のヘッド部１２においては、２次色の淡インク以外のインク用のインクジェットヘッド１０２が１つのヘッド列２０２ａに並べて配設される。また、２次色の淡インク用のインクジェットヘッド１０２は、ヘッド列２０２ａとは別の１つのヘッド列２０２ｂに並べて配設される。これにより、本例において、２次色であるＲＧＢの各色について、濃インク用のインクジェットヘッド１０２（インクジェットヘッド１０２Ｒ、インクジェットヘッド１０２Ｇ、及びインクジェットヘッド１０２ｂのそれぞれ）と、淡インク用のインクジェットヘッド１０２（インクジェットヘッド１０２Ｌｒ、インクジェットヘッド１０２Ｌｇ、及びインクジェットヘッド１０２ｂのそれぞれ）は、異なるヘッド列に配設されることになる。
【００４２】
また、上記においても説明をしたように、淡インクを用いる場合において、単に淡インクを用いるのみであると、媒体５０上の単位面積に対して単位時間に吐出するインクの合計量が過剰になり、インクの滲み等の問題が発生しやすくなることが考えられる。これに対し、本例においては、２次色であるＲＧＢの各色について、同じ色の濃インク用のインクジェットヘッド１０２と淡インク用のインクジェットヘッド１０２とを異なるヘッド列に配設することにより、淡インク用のインクジェットヘッド１０２と、濃インク用のインクジェットヘッド１０２とについて、副走査方向における位置が重ならないように、副走査方向における位置をずらして配設している。また、これにより、例えば、各回の主走査動作時において、淡インク用のインクジェットヘッド１０２がインクを吐出する領域と、濃インク用のインクジェットヘッド１０２がインクを吐出する領域とを異ならせている。そして、この場合、後に更に詳しく説明をするように、１回の主走査動作において媒体５０の各位置へ吐出するインクの量について、適切に低減することが可能になる。そのため、本例によれば、例えば、淡インクを用いる場合においても、媒体５０上の単位面積に対して単位時間に吐出するインクの合計量が過剰になることを適切に防ぐことができる。また、これにより、例えば、インクの滲み等の問題が発生することを適切に防ぐことができる。更には、この場合、インクの滲みを発生しにくくすることで、例えば、高速な印刷をより適切に行うことができる。そのため、本例によれば、例えば、高精彩かつ高速な印刷をより適切に行うことができる。
【００４３】
また、本例において、３次色であるＫ色用のインクジェットヘッド１０２については、濃インク用のインクジェットヘッド１０２Ｋ及び淡インク用のインクジェットヘッド１０２Ｌｋについて、同じヘッド列２０２ａに配設している。これは、Ｋ色のインクの場合、通常、濃インクと淡インクとを媒体５０上の同じ位置に吐出することが少ないためである。そのため、インクジェットヘッド１０２Ｋ及びインクジェットヘッド１０２Ｌｋについては、同じヘッド列に配設したとしても、媒体５０上の単位面積に対して単位時間に吐出するインクの合計量が過剰になることは生じにくい。また、ヘッド部１２の構成の変形例においては、インクジェットヘッド１０２Ｌｋについても、インクジェットヘッド１０２Ｋと別のヘッド列に配設してもよい。
【００４４】
また、上記においても説明をしたように、本例において、２次色の淡インク以外のインク用のインクジェットヘッド１０２は、１つのヘッド列２０２ａに並べて配設されている。また、この構成については、例えば、１次色用のインクジェットヘッド１０２と２次色用のインクジェットヘッド１０２とを同じヘッド列２０２ａに配設した構成と考えることもできる。このように構成すれば、例えば、７色分版方式において多数のインクジェットヘッド１０２を用いる場合にも、コンパクトかつ適切に複数のインクジェットヘッド１０２を配設することができる。また、このような構成については、例えば、１次色用のインクジェットヘッドインクジェットヘッド１０２をいずれかの２次色用のインクジェットヘッド１０２と同じヘッド列に配設する構成等と考えることもできる。また、この場合、少なくともいずれかの１次色用のインクジェットヘッド１０２をＲＧＢの各色用の濃インク用のインクジェットヘッド１０２と同じヘッド列に配設する構成等と考えることもできる。また、この場合、本例のように、全ての１次色用のインクジェットヘッド１０２について、ＲＧＢの各色用の濃インク用のインクジェットヘッド１０２と同じヘッド列に配設することが好ましい。このように構成すれば、例えば、多数のインクジェットヘッドを用いる場合にも、よりコンパクトにインクジェットヘッドを配設することができる。また、ヘッド部１２の構成の変形例においては、例えば、少なくともいずれかの１次色用のインクジェットヘッド１０２について、ＲＧＢの各色用の淡インク用のインクジェットヘッド１０２と同じヘッド列に配設すること等も考えられる。この場合も、全ての１次色用のインクジェットヘッド１０２について、ＲＧＢの各色用の淡インク用のインクジェットヘッド１０２と同じヘッド列に配設することが好ましい。
【００４５】
また、ヘッド部１２における複数のインクジェットヘッド１０２の配置については、図１（ｂ）に示した構成に限らず、様々に変形を行うことが可能である。そして、この場合、複数のインクジェットヘッド１０２の好ましい配置については、例えば、媒体５０上に吐出されるインクの量と関連付けて考えることができる。より具体的に、例えば、１回の主走査動作において媒体５０の各位置に吐出されるインクの量の合計を主走査時インク量と定義し、印刷の解像度に応じて設定されるインクの吐出位置の全てに１回のインクの吐出を行った場合の主走査時インク量を１００％の主走査時インク量と定義した場合、複数のインクジェットヘッド１０２について、例えば、複数のヘッド列が形成されるように配設することで、最大の主走査時インク量を低減することが考えられる。また、この場合、最大の主走査時インク量が１００％以下になるように複数のインクジェットヘッド１０２を配設することが好ましい。このように構成すれば、例えば、媒体５０上の単位面積に対して単位時間に吐出するインクの合計量が過剰になることを適切に防ぐことができる。
【００４６】
続いて、ヘッド部１２の構成の変形例等について、説明をする。先ず、説明の便宜上、図１（ｂ）に示した構成のヘッド部１２や好ましい変形例以外の構成（例えば従来の構成）等も含めて、様々なヘッド部１２の構成の例を示す。図２〜５は、様々なヘッド部１２の構成の例を示す。また、これらのうち、図２及び図３は、２次色の淡インクを用いない場合のヘッド部１２の構成の例である。また、図４及び図５は、２次色の淡インクを用いる場合のヘッド部１２の構成の例である。そして、この場合、図４及び図５に示す各構成について、好ましいヘッド部１２の構成の例と考えることができる。また、後に更に詳しく説明をするように、媒体上の単位面積に対して単位時間に吐出するインクの合計量やヘッド部１２におけるヘッド列の列数等に着目した場合、図５に示す各構成について、ヘッド列の列数を抑えつつインクの合計量を適切に低減できる構成と考えることができる。そのため、図５に示す各構成については、特に好ましいヘッド部１２の構成の例と考えることができる。尚、図２〜５においては、図示の便宜上、キャリッジ１００（図１参照）を省略して、ヘッド部１２が有する各色のインクジェットヘッド１０２の配置を模式的に示している。また、以下に説明をする点を除き、図２〜５に示す各構成のヘッド部１２は、図１（ｂ）に示すヘッド部１２と同一又は同様の特徴を有してよい。
【００４７】
また、図２は、ＹＭＣＫの４色のインクを用いる場合について、図中に符号Ｈ１〜Ｈ４を付して示す４種類のヘッド部１２の構成の例を示す。また、図２に示すヘッド部１２の構成については、例えば、４色分版方式用の構成の例と考えることもできる。また、より具体的に、符号Ｈ１を付して示す構成は、ＹＭＣＫの各色用のインクジェットヘッド１０２を主走査方向へ一列に並べる構成である。この構成については、例えば、従来の一般的な構成（従来のヘッド配置）に対応する構成と考えることができる。また、符号Ｈ２を付して示す構成は、ＹＭＣＫの各色用のインクジェットヘッド１０２について、副走査方向における位置をずらして配置する構成である。このような構成のヘッド部１２を用いた場合、媒体の各位置に対し、異なる回の主走査動作でインクを吐出することになる。そのため、この構成については、例えば、媒体の各位置へ各色のインクを順次吐出する色順次方式の構成と考えることができる。
【００４８】
また、符号Ｈ３及びＨ４を付して示す構成は、符号Ｈ１及びＨ２を付して示す構成に対し、Ｍ色、Ｃ色、及びＫ色の淡インク用のインクジェットヘッド１０２を追加した構成である。また、これらの構成については、例えば、淡インク用のインクジェットヘッド１０２を追加した４色分版方式の構成（＋淡色４色分版方式）の構成の例と考えることができる。また、図中において、インクジェットヘッド１０２Ｌｍは、Ｍ色の淡インク用のインクジェットヘッド１０２である。インクジェットヘッド１０２Ｌｃは、Ｃ色の淡インク用のインクジェットヘッド１０２である。また、符号Ｈ３を付して示す構成は、全てのインクジェットヘッド１０２を主走査方向へ並べて配設する構成である。この構成については、例えば、全てのインクジェットヘッド１０２を１つのヘッド列に配設する構成と考えることもできる。また、符号Ｈ４を付して示す構成は、全てのインクジェットヘッド１０２について、副走査方向における位置をずらして配設する構成である。この構成については、例えば、全てのインクジェットヘッド１０２を互いに異なるヘッド列に配設する構成（完全色順次配置）と考えることもできる。
【００４９】
図３は、ＹＭＣＫＲＧＢの７色のインクを用いる場合について、図中に符号Ｈ５〜Ｈ８を付して示す４種類のヘッド部１２の構成の例を示す。また、図３に示すヘッド部１２の構成については、例えば、７色分版方式用の構成の例と考えることもできる。また、図３に示す各構成については、例えば、２次色について淡インクを用いない場合の７色分版方式用の構成の例と考えることもできる。また、より具体的に、符号Ｈ５を付して示す構成は、ＹＭＣＫＲＧＢの各色の濃インク用のインクジェットヘッド１０２を主走査方向へ一列に並べる構成である。符号Ｈ６を付して示す構成は、ＹＭＣＫの各色の濃インク用のインクジェットヘッド１０２を１つのヘッド列に配設し、ＲＧＢの各色の濃インク用インクジェットヘッド１０２を他の１つのヘッド列に配設する構成である。符号Ｈ７を付して示す構成は、ＹＭＣの各色の濃インク用のインクジェットヘッド１０２を１つのヘッド列に配設し、ＲＧＢの各色の濃インク用のインクジェットヘッド１０２を他の１つのヘッド列に配設し、Ｋ色の濃インク用のインクジェットヘッド１０２を更に他のヘッド列に配設する構成である。また、符号Ｈ８を付して示す構成は、符号Ｈ５を付して示す構成に対し、更に、Ｍ色、Ｃ色、及びＫ色の淡インク色用のインクジェットヘッド１０２を追加して、全てのインクジェットヘッド１０２を１つのヘッド列に配設する構成である。この構成については、例えば、淡インク用のインクジェットヘッド１０２を追加した７色分版方式の構成（＋淡色７色分版方式）の構成の例と考えることもできる。また、この構成については、例えば、従来のヘッド配置のままで淡インク用のインクジェットヘッド１０２を追加した構成等と考えることもできる。
【００５０】
図４は、ＹＭＣＫＲＧＢの７色のインクを用いる場合について、図中に符号Ｈ９及びＨ１０を付して示す２種類のヘッド部１２の構成の例を示す。また、図４に示すヘッド部１２の構成についても、例えば、淡インク用のインクジェットヘッド１０２を追加した７色分版方式の構成（＋淡色７色分版方式）の構成の例と考えることができる。また、より具体的に、図４に示すヘッド部１２の構成は、Ｙ色以外の全ての色について、淡インク用のインクジェットヘッド１０２を用いている。また、符号Ｈ９を付して示す構成は、ＹＭＣＫの各色の濃インク用のインクジェットヘッド１０２と、Ｋ色の淡インク色用のインクジェットヘッド１０２とを１つのヘッド列に配設し、ＲＧＢの各色の濃インク用のインクジェットヘッド１０２を他の１つのヘッド列に配設し、Ｍ色及びＣ色の淡インク用のインクジェットヘッド１０２を更に他の１つのヘッド列に配設し、ＲＧＢの各色の淡インク用のインクジェットヘッド１０２を更に他の１つのヘッド列に配設する構成である。また、符号Ｈ１０を付して示す構成は、ＹＭＣＫの各色の濃インク用のインクジェットヘッド１０２を１つのヘッド列に配設し、ＲＧＢの各色の濃インク用のインクジェットヘッド１０２を他の１つのヘッド列に配設し、Ｍ色及びＣ色の淡インク用のインクジェットヘッド１０２を更に他の１つのヘッド列に配設し、ＲＧＢの各色の淡インク用のインクジェットヘッド１０２を更に他の１つのヘッド列に配設し、Ｋ色の淡インク用のインクジェットヘッド１０２を更に他の１つのヘッド列に配設する構成である。
【００５１】
図５は、ＹＭＣＫＲＧＢの７色のインクを用いる場合について、図中に符号Ｈ１１〜Ｈ１３を付して示す３種類のヘッド部１２の構成の例を示す。また、図７に示すヘッド部１２の構成についても、例えば、淡インク用のインクジェットヘッド１０２を追加した７色分版方式の構成（＋淡色７色分版方式）の構成の例と考えることができる。また、図５に示すヘッド部１２の構成のうち、符号Ｈ１１を付して示す構成は、Ｙ色以外の全ての色について、淡インク用のインクジェットヘッド１０２を用いている。より具体的に、この構成は、ＹＭＣＫＲＧＢの各色の濃インク用のインクジェットヘッド１０２と、Ｋ色の淡インク用のインクジェットヘッド１０２とを１つのヘッド列に配設し、Ｍ色及びＣ色の淡インク用のインクジェットヘッド１０２を他の１つのヘッド列に配設し、ＲＧＢの各色の淡インク用のインクジェットヘッド１０２を更に他の１つのヘッド列に配設する構成である。
【００５２】
また、符号Ｈ１２及びＨ１３を付して示す構成では、１次色の淡インク用のインクジェットヘッド１０２は用いずに、２次色及び３次色の各色のみに、淡インク用のインクジェットヘッド１０２を用いている。より具体的に、符号Ｈ１２を付して示す構成は、ＹＭＣＫＲＧＢの各色の濃インク用のインクジェットヘッド１０２と、Ｋ色の淡インク用のインクジェットヘッド１０２とを１つのヘッド列に配設し、ＲＧＢの各色の淡インク用のインクジェットヘッド１０２を他の１つのヘッド列に配設する構成である。この構成については、例えば、ＹＭＣＲＧＢ及びＫの各色の濃インク用のインクジェットヘッド１０２と、Ｋ色の淡インク（Ｌｋ）用のインクジェットヘッド１０２とが主走査方向に並べて同じＹ軸上に配置され、ＲＧＢの各色の淡インク（Ｌｒ、Ｌｇ、及びＬｂ）用のインクジェットヘッド１０２について、副走査方向へ平行にずらした位置で主走査方向に並べて同じＹ軸上に配置されている構成等と考えることもできる。また、符号Ｈ１３を付して示す構成は、ＹＭＣＫＲＧＢの各色の濃インク用のインクジェットヘッド１０２を１つのヘッド列に配設し、ＲＧＢの各色の淡インク用のインクジェットヘッド１０２を他の１つのヘッド列に配設し、Ｋ色の淡インク用のインクジェットヘッド１０２を更に他の１つのヘッド列に配設する構成である。また、以下において説明する事項から理解できるように、媒体上の単位面積に対して単位時間に吐出するインクの合計量と、ヘッド部１２におけるヘッド列の列数とに着目すると、Ｈ１１〜１３のヘッド配置については、例えば、ヘッド列の列数を抑えつつインクの合計量を適切に低減できる構成と考えることができる。また、これらのうち、特に、Ｈ１２及びＨ１３のヘッド配置については、より少ない数のインクジェットヘッド１０２で高品質かつ高速な印刷を行う得る構成と考えることができる。
【００５３】
続いて、図２〜５に示したヘッド部１２の各構成について、媒体上の単位面積に対して単位時間に吐出するインクの合計量の例を説明する。図６は、複数の色のインクの混色により表現される色の例について説明をする図であり、図中の例Ａ〜Ｆとして示す６種類の色について、ＹＭＣの３色のインクのみを用いて表現する場合の各色のインクの量（各色のインクの量の比率）を示す。また、図中に示す例Ａ〜Ｆについては、減法混色法での基本３原色であるＹＭＣの各色のインク量の組み合わせ例（サンプルデータ）と考えることもできる。
【００５４】
減法混色法で色の表現を行う場合、原理的には、１次色であるＹＭＣの３色のみを用いて、フルカラーの表現が可能である。また、この場合、例えば図中の例Ａ〜Ｆのように、各色のインクの比率を異ならせて混色させることにより、様々な色を表現することが可能である。しかし、実際のインクにおいては、インクに色を付与する色材（顔料等）が光を吸収する波長範囲等の影響により、ＹＭＣ以外の色（中間色）について、高精彩な色の表現が難しくなる場合がある。これに対し、７色分版方式で印刷を行う場合、２次色であるＲＧＢの各色のインクや、３次色であるＫ色のインクを用いることにより、中間色やＫ色について、より高精彩な色の表現が可能になる。また、この場合、１次色の複数色のインクを混色させる代わりに２次色や３次色のインクを用いることで、媒体上の単位面積に対して単位時間に吐出するインクの合計量を低減することも可能になる。より具体的に、７色分版方式で印刷を行う場合、以下の関係式に従い、ＹＭＣの各色のインクの代わりにＲＧＢの各色のインクやＫ色のインクを行うように、変換を行うことができる。
αＲ=αＹ＋αＭ    式（１）
βＧ＝βＣ＋βＹ    式（２）
γＢ＝γＭ＋γＹ    式（３）
δＫ＝δＹ＋δＭ＋δＣ    式（４）
【００５５】
また、これらの式のうち、式（１）は、２つの１次色であるＹ色及びＭ色の等量のインクを２次色であるＲ色の等量のインクに置き換えることを示している。また、式（２）、（３）は、Ｇ色及びＢ色について、２つの１次色のインクを同様に置き換えることを示している。このような変換を行うことにより、同じ色を表現するためのインクの量は、変換後において、変換前の一次色のインクの合計（総量）の半分になる。また、式（４）は、３つの１次色であるＹ色、Ｍ色、及びＣ色の等量のインクを３次色であるＫ色の等量のインクに置き換えることを示している。このような変換を行うことにより、同じ色を表現するためのインクの量は、変換後において、変換前の一次色のインクの合計（総量）の３分の１になる。
【００５６】
このような変換式から理解できるように、７色分版方式で印刷を行う場合、１次色のみで印刷を行う場合や、４色分版方式で印刷を行う場合と比べ、媒体上の単位面積に対して単位時間に吐出するインクの合計量を低減することができる。しかし、この場合、インクの量が低減されることにより、媒体上に形成されるインクのドットの密度（着弾ドット密度）も小さくなり、画像の粒状感が目立ちやすくなる。また、上記においても説明をしたように、２次色のインクのドットは１次色のインクのドットと比べて暗く見えるため、７色分版方式で印刷を行う場合、この点でも、粒状感が目立ちやすくなる。また、その結果、画像における中間調の部分が粗い印象になり、印刷結果の画質が低下する場合がある。これに対し、画像の粒状感が目立つこと防ぐためには、上記においても説明をしたように、ＲＧＢの各色及びＫ色や、必要に応じてＭ色及びＣ色について、淡インクを用いることが考えられる。淡インクを用いることにより、例えば、中間調の階調再現性を高めることや、印刷される画像の粒状感を低減することができる。また、これにより、例えば、印刷される画質を向上することが可能になる。また、この場合、上記の各式で示す条件に対応するような、濃インクの濃度Ｎの半分であるＮ／２の濃度の淡インクを用いることが考えられる。
【００５７】
しかし、上記においても説明をしたように、淡インクを用いる場合、媒体上の単位面積に対して単位時間に吐出するインクの合計量が多くなる場合もある。また、この点に関し、媒体５０上の単位面積に対して単位時間に吐出するインクの合計量については、使用するインクの色数、淡インクの使用の有無、及びインクジェットヘッド１０２の並び方等によって変化すると考えることができる。そのため、淡インクを加えて７色分版方式で印刷を行う場合には、媒体上の単位面積に対して単位時間に吐出するインクの合計量について、過剰にならないようにインクジェットヘッド１０２を配設することが望ましい。そこで、以下、図２〜５を用いて説明をしたヘッド部１２の各構成と、図６に例Ａ〜Ｆとして示す色とを対応付けて、媒体上の単位面積に対して単位時間に吐出するインクの合計量の例について説明をする。
【００５８】
図７は、媒体上の単位面積に対して単位時間に吐出するインクの合計量について説明をする図である。また、説明の便宜上、図７では、図２〜５を用いて説明をしたヘッド部１２の各構成（各種ヘッド配置）のうち、符号Ｈ１〜Ｈ１２を付して説明をした構成について、媒体上の単位面積に対して単位時間に吐出するインクの合計量を示している。また、この場合、媒体上の単位面積に対して単位時間に吐出するインクの合計量とは、例Ａ〜Ｆのそれぞれに対応する色を表現する場合において、１回の主走査動作（パス）で媒体上の各位置に対して吐出するインクの量の平均（平均インク量）である。また、この平均は、１６×１６画素のマトリクスの範囲での平均のインクの量である。また、この場合、図７に示す表の内容について、例えば、ヘッド配置（ヘッド配列）とパス当たりの最大インク量との関係を示す表と考えることができる。また、この表については、例えば、ヘッドの配置と、単位面積あたりに着弾するインク量との関係を示す表と考えることもできる。
【００５９】
また、インクの量については、全ての画素の位置（ドット位置）に１色のインクを１回吐出する場合の濃度を１００％としている。また、同じ色の濃インク及び淡インクについて、濃インクの色の濃度Ｎに対し、淡インクの色の濃度Ｌｎは１／２、すなわち、Ｌｎ＝（Ｎ／２）になっている。また、濃インク及び淡インクの使い方については、同じ画素の位置に同色の濃インクと淡インクとを吐出しないように、排他的にしている。また、例Ｆのように、ＹＭＣの３色を１００％ずつ混ぜる色の場合（表中に＊を付して示している箇所の場合）、淡インクは用いず、濃インクのみを用いることとしている。また、より具体的に、表中でＫ色の１００％と示す場合については、淡インク（Ｌｋ）を用いず、濃インク（Ｋ）のみで１００％の印刷を行うことで、インク量を低減している。また、他の色（ＲＧＢの各色等）についても、１００％のインク量については、濃インクのみを用いて印刷を行うことで、インク量を低減している。
【００６０】
また、ヘッド部１２の各構成に関し、図２において符号Ｈ１を付して示したヘッド部１２の構成（以下、Ｈ１のヘッド配置という。また、図２〜５において符号Ｈ２以降の符号を付して示したヘッド部１２の構成についても、同様に、Ｈ２のヘッド配置等という）の場合、４色分版方式で印刷を行うことにより、ＹＭＣＫの各色について、単位面積に対して単位時間に吐出するインクの合計量は、４色に分版されて、表中に示す値になる。この場合、単位面積に対して単位時間に吐出するインクの合計量とは、単位面積に対して単位時間に着弾するインクの合計量のことである。また、より具体的に、表中に示すインク量は、最大の主走査時インク量に対応するインクの量である最大着弾インク量である。また、最大着弾インク量については、例えば、単位面積当たりに着弾する最大のインクの量（総インク量）と考えることもできる。そして、この場合、最大着弾インク量は、例Ａに対応する結果において、１６０％になる。また、Ｋ色のみで１００％の印刷を行う例Ｆ以外の他の例に対応する結果でも、全て、最大着弾インク量が１００％を超えることになる。そして、この場合、媒体５０上において近接して着弾するインクの量が多くなるため、滲みが発生しやすくなり、高速な印刷を行うことが難しくなると考えられる。
【００６１】
これに対し、Ｈ２のヘッド配置のように、色順次方式で印刷を行う場合、表中に示すように、最大着弾インク量を低減することができる。しかし、後に詳しく説明をするように、７色分版方式や、淡インクを用いた７色分版方式で色順次方式の構成を採用すると、副走査方向におけるヘッド部１２の幅が大きくなり過ぎると考えられる。また、Ｈ３及びＨ４のヘッド配置のように、Ｍ色、Ｃ色、及びＫ色の淡インク用を用いる場合、例えばＨ１及びＨ２のヘッド配置を用いる場合と比べ、粒状感を低減することができる。しかし、これらの場合も、例えば７色分版方式で印刷を行う場合と比べると、高精彩な印刷を行うことは難しい。更に、表中に示すように、Ｈ３のヘッド配置を用いる場合には、最大着弾インク量が極めて多くなる。また、Ｈ４のヘッド配置を用いる場合、副走査方向におけるヘッド部の幅が更に大きくなるという問題が生じる。
【００６２】
ここで、インクジェット方式で印刷を行う場合、最大着弾インク量が１００％を超えると、滲みが特に発生しやすくなると考えられる。より具体的に、インクジェットヘッドに主走査動作を行わせるシリアルタイプのインクジェットプリンタでは、通常、１６パス程度（例えば、８〜３２パス程度）のマルチパス方式で印刷を行う。また、この場合、パス数を多くすることで、１回の主走査動作において同じ位置へ吐出するインクの量を低減することが可能になる。また、この場合、例えばインクの受像層を有する媒体を用いるのであれば、最大着弾インク量が多くなったとしても、滲みの発生を抑えることができる。しかし、受像層が形成されていない媒体（例えば、紙、布、又はポリエステルフィルム等）を用いる場合、最大着弾インク量が１００％を超えると、例えば通常の印刷速度で印刷を行う場合でも、滲み等が生じやすくなる。また、その結果、例えば、高速な印刷を行うことが難しくなると考えられる。また、最大着弾インク量が１００％を超える場合、受像層を有する媒体を用いたとしても、高速な印刷を行うと、滲みが発生しやすくなると考えられる。そして、この点に関し、Ｈ１のヘッド配置では、４色の濃インクのみを用いた結果で、最大着弾インク量は、１６０％に達している。また、淡インクを用いるＨ３のヘッド配置では、最大着弾インク量は、２４０％に達している。そのため、これらのヘッド配置を用いる場合、受像層が形成されていない媒体を用いる場合や、高速な印刷を行う場合には、滲みの問題が大きくなり、高い品質の印刷を適切に行うことが難しくなると考えられる。
【００６３】
また、滲みの発生を抑えるためには、例えば高温でインクを乾燥させるヒータを用いる方法や、インクを凝集させる凝集剤等を用いること等も考えられる。しかし、この場合、使用可能な媒体やインクの構成が限定されることになる。その結果、例えば受像層が形成されていない媒体に対してシリアル方式で直接的かつ高速に印刷を行う構成（高速機）等では、印刷を行うことが難しくなる場合もある。また、上記においても説明をしたように、Ｈ２及びＨ４のヘッド配置を用いる場合には、最大着弾インク量を抑えることもできる。しかし、これらの場合、上記のように、副走査方向におけるヘッド部１２の幅が大きくなるという問題が生じる。また、その結果、印刷装置の大型化等の問題が生じることになる。特に、Ｈ４のヘッド配置の場合、このような問題が顕著になると考えられる。
【００６４】
これに対し、例えばＨ５〜Ｈ１２等のヘッド配置を用いる場合、７色分版方式を用いることにより、高精彩な印刷をより適切に行うことができる。また、複数の１次色のインクを用いる代わりに２次色のインクを用いることにより、最大着弾インク量を低減することも可能になる。また、これにより、例えば、印刷の速度を高速化した場合等にも、滲みの発生をより適切に抑えることができる。より具体的には、例えば、Ｈ５のヘッド配置のように、１つのヘッド列に全てのインクジェットヘッドを配設する場合でも、例Ａ〜Ｆの全てにおいて、最大着弾インク量は、１００％以下になる。そして、この場合、最大着弾インク量が小さくなることで、滲みが生じ難くなると考えられる。また、その結果、例えばポリエステルのフィルム等のような滲みが発生しやすい媒体を用いる場合にも、滲みを抑えて適切に印刷を行うことが可能になる。また、この場合、滲みが発生しにくくなるために、高速な印刷をより適切に行うことも可能になる。また、７色分版方式で印刷を行う場合において、例えばＨ６及びＨ７のヘッド配置のように、複数のヘッド列に分けて複数のインクジェットヘッドを配設した場合、表中に示すように、最大着弾インク量を更に低減することができる。
【００６５】
しかし、Ｈ５〜Ｈ７のヘッド配置のように、単に７色のインクを用いる単純な７色分版方式で印刷を行う場合、上記においても説明をしたように、１次色と比べて暗く見える２次色のインクのドットが形成され、２次色の出現頻度が増加するため、画像の粒状感が目立ちやすくなる。また、この場合、複数の１次色を２次色に変換することで媒体上に形成されるインクのドットの数（画素数）が少なくなることでも、粒状感が目立ちやすくなる。これに対し、Ｈ８〜Ｈ１２のヘッド配置の場合、少なくともいずれかに色について、淡インク用のインクジェットヘッドを用いている。そして、この場合、淡インクを用いることにより、通常、粒状感を目立ち難くすることができる。また、階調再現性を高めること等も可能になる。
【００６６】
しかし、淡インクを用いる場合、ヘッド配置によっては、７色分版方式で印刷を行う場合にも、最大着弾インク量が過剰になる場合がある。例えば、Ｈ８のヘッド配置のように、１つのヘッド列に全てのインクジェットヘッドを配設した場合、例Ｄにおいて、最大着弾インク量は、２００％にまで大きく増加することになる。また、その結果、滲みの問題が顕著になり、高速に印刷を行う場合（例えば、高速モードでの印刷時等）等には、高品質な印刷を行うことが難しくなる場合がある。また、この場合、２次色用の淡インクを使用しない構成になるため、２次色のインクのドットの影響で粒状感が目立つことも考えられる。
【００６７】
これに対し、Ｈ９〜Ｈ１２のヘッド配置の場合、２次色について、淡インク用のインクジェットヘッドを用いている。また、より具体的に、これらのヘッド配置においては、少なくとも、２次色であるＲＧＢの各色及び３次色であるＫ色について、淡インク用のインクジェットヘッドを用いている。このように構成すれば、例えば、ＲＧＢの各色及びＫ色の濃インクのドットの出現頻度が大幅に少なくなることで、粒状感が目立つことを適切に防ぐことができる。また、この場合、７色分版方式で印刷を行うことにより、１次色（例えばＭ色及びＣ色）の濃インクのドットについても、出現頻度を適切に低減することができる。また、淡インクを用いることで、例えば、高い階調表現で高精彩な印刷をより適切に行うことができる。また、Ｈ９〜Ｈ１２のヘッド配置では、更に、同色の濃インク用のインクジェットヘッドと淡インク用のインクジェットヘッドとが異なるヘッド列に含まれるように、複数のインクジェットヘッドを配設している。また、この場合において、少なくとも一部のヘッド列に複数のインクジェットヘッドを並べることで、ヘッド列の列数が多くなり過ぎることを防いでいる。また、その結果、Ｈ９〜Ｈ１２にヘッド配置の場合、表中に示すように、例Ａ〜Ｆの全てにおいて、最大着弾インク量は、１００％以下になる。そのため、これらのように構成すれば、例えば、滲み等を適切に抑えつつ、２次色について淡インク用のインクジェットヘッドを追加した７色分版方式（＋淡色７色分版方式）での印刷をより適切に行うことができる。
【００６８】
また、Ｈ９〜Ｈ１２のヘッド配置の場合、複数のヘッド列に分けて複数のインクジェットヘッドを並べることで、１つのヘッド列に全てのインクジェットヘッドを並べる場合と比べ、副走査方向におけるヘッド部の幅が大きくなっているといえる。しかし、淡色用のインクを用いて７色分版方式で印刷を行う場合、必要なインクジェットヘッドの数が多くなるため、ヘッド部のサイズがある程度大きくなることについては、避けられないともいえる。そして、この場合、複数のヘッド列に分けて複数のインクジェットヘッドを並べることについても、妥当な構成と考えることができる。但し、この場合も、ヘッド列の列数については、多くなりすぎないことが好ましい。より具体的に、ヘッド列の列数については、５列以下にすることが好ましい。ヘッド列の列数は、好ましくは４列以下、更に好ましくは３列以下である。また、この場合、ヘッド列の列数とは、例えば、印刷装置が備える複数のインクジェットヘッドを含むヘッド列の列数のことである。また、印刷装置が備える複数のインクジェットヘッドとは、例えば、印刷装置において印刷に用いる全てのインクジェットヘッドのことである。
【００６９】
また、上記においても説明をしたように、淡色用のインクを用いて７色分版方式で印刷を行う場合において、最大着弾インク量が過剰になることを防ぐためには、同色の濃インク用のインクジェットヘッドと淡インク用のインクジェットヘッドとが異なるヘッド列に含まれるように構成することが好ましい。そのため、ヘッド列の列数については、２列以上にすることが好ましい。また、より具体的に、この場合、例えば、Ｈ１２のヘッド配置を用いることが考えられる。このように構成すれば、例えば、ヘッド列の数を最小（２列）にしつつ、最大着弾インク量を１００％以下に抑えることができる。また、これにより、例えば、淡色用のインクを用いて７色分版方式での印刷を行う場合において、印刷速度をより適切に高速化することができる。
【００７０】
また、図５等を用いて上記において説明をしたように、Ｈ１２のヘッド配置では、１次色であるＭ色及びＣ色については淡色用のインクジェットヘッドを用いず、粒状感への影響が大きくなる２次色及び３次色の各色についてのみ、淡色用のインクジェットヘッドを用いている。そのため、このヘッド配置については、２次色及び３次色のみについて淡色用のインクジェットヘッドを用いることで、ヘッド部を小型化していると考えることもできる。そのため、Ｈ１２のヘッド配置については、例えば、ヘッド部の小型化、印刷に高速化、及び印刷の品質（画質）向上に最も適した構成と考えることもできる。また、図７の表では説明を省略したが、Ｈ１３のヘッド配置についても、同様にしてヘッド部を小型化していると考えることもできる。また、この場合も、最大着弾インク量について、Ｈ１２のヘッド配置等と同様に、１００％以下にすることができる。そのため、このように構成した場合も、例えば、ヘッド列が多くなりすぎることを防ぎつつ、２次色用のインクジェットヘッドを適切に配設することができる。
【００７１】
また、上記においては、主に、淡インクの色の濃度を濃インクの１／２（Ｌｎ＝Ｎ／２）とした場合に関し、例Ａ〜Ｆに対応する最大着弾インク量等を説明した。しかし、印刷結果における粒状感は、印刷される色の濃度（プリント濃度）が低い場合に特に目立つ。そのため、粒状感をより確実に抑えるためには、淡インクの色の濃度について、濃インクの１／２よりも低くすること等も考えられる。
【００７２】
図８及び図９は、色の濃度がより低い淡インクを用いる場合の最大着弾インク量について説明をする図であり、淡インクの色の濃度を濃インクの１／２よりも低くした場合について、図７と同様の事項を示す。また、より具体的に、図８は、淡インクの色の濃度Ｌｎを濃インクの色の濃度Ｎの１／３にした場合（Ｌｎ＝Ｎ／３の場合）について、図７と同様の事項を示す。また、図９は、淡インクの色の濃度Ｌｎを濃インクの色の濃度Ｎの１／４にした場合（Ｌｎ＝Ｎ／４の場合）について、図７と同様の事項を示す。図中の表からわかるように、淡インクの色の濃度をより小さくした場合にも、例えば２次色の淡インク用のインクジェットヘッドを用いる構成において、同色の濃インク用のインクジェットヘッドと淡インク用のインクジェットヘッドとが異なるヘッド列に含まれるようなヘッド配置を用いることで、上記と同様の効果を得ることができる。
【００７３】
尚、図示及び説明の便宜上、図８及び図９については、Ｈ１〜Ｈ１１のヘッド配置のみについて、例Ａ〜Ｆに対応する最大着弾インク量等を示している。また、上記の説明から明らかなように、Ｈ１２及びＨ１３を用いる場合においても、２次色の淡インク用のインクジェットヘッドを用いつつ、最大着弾インク量が過剰になることを適切に防ぐことができる。また、図８及び図９に示した結果においては、Ｈ９〜Ｈ１１等のように複数のヘッド列に分けてインクジェットヘッドを配設する場合にも、例Ａ〜Ｆの一部に対応する結果において、最大着弾インク量が１００％を超えている。しかし、この場合も、同色の濃インク用のインクジェットヘッドと淡インク用のインクジェットヘッドとが異なるヘッド列に含まれるようなヘッド配置を用いることで、例えばＨ８のヘッド配置を用いる場合と比べ、大幅に最大着弾インク量を低減することが可能になる。そのため、色の濃度が濃インクの１／２未満となるような色の薄い淡インクを用いる場合には、一部の例に対応する最大着弾インク量が１００％を超えるとしても、Ｈ９〜Ｈ１３等のヘッド配置を用いることが好ましいといえる。また、淡インクの色の濃度について、より一般化して考えた場合、例えば、濃インクの色の濃度の１／５〜１／２程度の間に選ぶことが好ましいと考えられる。このように構成すれば、例えば、粒状感が目立つことを防ぎつつ、高い階調表現で高精彩な印刷をより適切に行うことができる。
【００７４】
続いて、上記において説明をした各構成に関する補足説明を行う。上記においても説明をしたように、７色分版方式で印刷を行う場合、例えば、２次色であるＲＧＢの各色のインクを用いることで、高精彩な印刷を適切に行うことができる。また、この場合において、２次色の各色や３次色であるＫ色について淡インクを用いることで、中間調の階調再現性を高めることや、印刷される画像の粒状感を低減することが可能になる。更には、この場合において、同じ色の濃インク用のインクジェットヘッド１０２と淡インク用のインクジェットヘッド１０２とを異なるヘッド列に配設することにより、最大着弾インク量を低減して、滲みの発生を適切に抑えることができる。
【００７５】
また、この場合、ヘッド部の具体的な構成としては、例えば、図４及び図５に示したＨ９〜Ｈ１３のヘッド配置を用いることが好ましい。また、ヘッド部を小型化する観点で考えた場合、Ｈ１１〜Ｈ１３のヘッド配置を用いることが特に好ましい。また、この場合、これらのヘッド配置については、例えば、淡インクを用いて７色分版方式で印刷を行う場合にも滲みの発生や粒状感を抑えてきめ細かな高精彩な印刷を行うことが可能になり、中間調での再現性の向上、高精彩な印刷（高画質化）、及び高速印刷等の性能を同時に得ることができるヘッド配置等と考えることができる。また、この場合、高速化、ヘッド部の小型化、及び高画質化等の観点に関し、主目的等に応じて、例えばＨ９〜Ｈ１３の中から好ましいヘッド配置を選択することが考えられる。また、この場合、例えば、Ｈ１１〜Ｈ１３のヘッド配置については、使用する淡インクの種類を選択することでヘッド配置を最適化した構成等と考えることもできる。
【００７６】
また、この場合、滲みが発生しにくくなるため、様々な種類の媒体を用いることも可能になる。より具体的に、媒体としては、例えば、布、紙、不敷布、プラスチックフィルム、セラミック、ガラス、陶器、金属等の様々な媒体を用いることができる。また、この場合、例えば、受像層が形成されていない媒体等であっても、好適に用いることができる。また、７色分版方式で印刷を行う効果については、例えば、２次色及び３次色のインクを用いることでインクの使用量を低減して、印刷のランニングコストを低減できること等も考えることができる。
【００７７】
また、上記においても説明をしたような滲みが発生しにくい構成は、特に、滲みが発生しやすいインクや媒体を用いてインクジェット方式で印刷を行う用途に適していると考えることができる。また、この場合、より具体的に、例えば、布地の媒体への印刷を行うテキスタイルプリンタや、各種の産業用途のプリンタ等に好適に応用することができる。また、淡インクを用いて７色分版方式で印刷を行う動作については、例えば、ユーザによるモードの指定に応じて実行してもよい。この場合、ユーザの指示を受け付けることで、例えば印刷装置において、ソフトウェア又はハードウェアにより、濃インク及び淡インクのそれぞれを使用するか否かや、分版方式について、切り替えを行うことが考えられる。
【００７８】
また、上記の各構成において、使用するインクについては、特に制限されず、インクジェットヘッドで吐出可能な様々なインクを用いることができる。より具体的に、インクとしては、例えば、色材として水性染料を用いる水性染料インクや、色材として顔料を用いる顔料インク等を好適に用いることができる。また、インクの基本的な特徴や定着のさせ方等に関し、例えば、ラテックスインク、ソルベントインク、ＵＶ硬化インク、溶媒希釈ＵＶインク、瞬間乾燥型のインク等を用いることも考えられる。この場合、溶媒希釈ＵＶインクとは、例えば、溶媒（有機溶剤等）で希釈したＵＶ硬化インク（例えば、ソルベントＵＶインク）のことである。
【００７９】
また、図１に関連して上記においても説明をしたように、印刷装置においては、使用するインクや媒体の特徴に応じたインクの定着手段を用いることが考えられる。より具体的に、インクの定着手段としては、例えば、例えば図１を用いて説明をしたように、ヒータを用いることが考えられる。また、ヒータとしては、例えば、インクジェットヘッドと対向する位置で媒体を加熱するプリントヒータ等を好適に用いることができる。また、インクの定着手段としては、例えば、媒体の搬送方向においてインクジェットヘッドよりも下流側でインクを乾燥させる後加熱乾燥用の構成や、ＵＶ瞬間乾燥型インク等の瞬間乾燥型のインクへエネルギー線（紫外線等）を照射する構成を用いることも考えられる。また、例えば、赤外線の照射によりインクを乾燥させる構成、紫外線の照射によりインクを硬化させる構成、又は電子ビームの照射によりインクを硬化させる構成等を用いることも考えられる。また、インクや媒体の特徴に応じて、各種の前処理（前乾燥等）や後処理等を行ってもよい。また、媒体としては、上記においても説明をしたように、受像層が形成されていない媒体等を好適に用いることができる。また、このような媒体に限らず、例えば、受像層が形成されている媒体や、滲み防止のための前処理を行った媒体（前処理層を形成した媒体）等を用いることも可能である。
【００８０】
続いて、印刷装置やヘッド部の構成の更なる変形例等について、説明をする。上記においても説明をしたように、淡インクを用いて７色分版方式で印刷を行う場合において、粒状感が目立つことを適切に防ぎつつ高精彩な印刷をより適切に行うためには、全ての２次色について淡インクを用いることが好ましい。しかし、使用するインクジェットヘッドの数を少なくするためには、上記のように、例えば、２次色であるＲＧＢの各色、及び３次色であるＫ色についてのみ、淡インクを用いることが考えられる。また、この点に関し、使用するインクジェットヘッドの数をより少なくするためには、２次色に関し、一部の色のみに淡インクを用いてもよい。
【００８１】
より具体的に、７色分版方式で用いる７色のインクについて、見た目の明るさは、明るい方から順番に、Ｙ色、Ｍ色、Ｃ色、Ｇ色、Ｒ色、Ｂ色、及びＫ色の順番になる。また、その結果、粒状感の目立ちやすさは、この逆の順番になる。また、その結果、７色のうち、Ｋ色、Ｂ色、及びＲ色について、特に粒状感が目立ちやすくなる。そのため、２次色に関し、一部の色のみに淡インクを用いる場合、例えば、Ｒ色又はＢ色のいずれかの色について、淡インク用のインクジェットヘッドを用いることが考えられる。また、この場合、例えば、Ｒ色及びＢ色の両方の色について、淡インク用のインクジェットヘッドを用いることが好ましい。また、一部の２次色に加え、３次色であるＫ色についても淡インクを用いることが好ましい。このように構成すれば、より少ない数のインクジェットヘッドを用いて、粒状感が目立つことを適切に防ぐことができる。
【００８２】
また、求められる印刷の品質等によっては、より多くのインクジェットヘッドを用いることも考えられる。より具体的に、上記においては、主に、淡インクの色の濃さ（淡色濃度）を１種類の濃度のみにした場合について、ヘッド配置の例等を説明した。しかし、より高品質な印刷を行うためには、例えば、同じ色に対し、明度の低い淡インクとして、色の濃さが互いに異なる複数種類のインクを用いてもよい。この場合、２次色であるＲＧＢの各色や、３次色であるＫ色での淡色濃度について、２段階又はそれ以上にすることが考えられる。
【００８３】
また、７色分版方式で印刷を行う場合において、ＹＭＣＫＲＧＢの７色以外の色のインクを更に用いてもよい。この場合、例えば、メタリック色や白色等の特色のインクを更に用いることが考えられる。また、この場合、特色用のインクジェットヘッドについては、上記の７色のインク用のインクジェットヘッドとは別のヘッド列に配設することが考えられる。また、特色の使用の頻度や、同じ回の主走査動作で他の色のインクと同じ位置へインクを吐出する確率（同時プリントの確率）等によっては、１次色、２次色、又は３次色用のインクジェットヘッドと同じヘッド列に並べて配設してもよい。
【００８４】
また、粒状感が目立つことを防ぐためには、淡インクを用いる方法の他に、インクジェットヘッドから吐出するインクの容量を可変にして、小さなサイズのインクのドットを形成すること等も考えられる。そのため、上記において説明をした各構成においても、例えば、少なくとも一部の色用のインクジェットヘッドについて、吐出容量可変ヘッドを用いて、吐出するインクの容量を可変にすることが考えられる。この場合、吐出容量可変ヘッドとは、例えば、吐出するインクの容量として少なくとも２種類の容量を設定可能なインクジェットヘッド（多値ヘッド、バリアブルヘッド）のことである。また、吐出容量可変ヘッドについては、例えば、画像の印刷時に複数種類の容量でインクを吐出するインクジェットヘッド等と考えることもできる。また、より具体的に、この場合、例えば、少なくともいずれかの１次色用のインクジェットヘッドとして、吐出容量可変ヘッドを用いることが考えられる。また、この場合、例えば、淡インクを用いない色用のインクジェットヘッドについて、吐出容量可変ヘッドにすること等が考えられる。例えば、２次色及び３次色については淡インクを用い、１次色には淡インクを用いない場合、２次色及び３次色については吐出容量可変ヘッドを用いず、１次色のみについて吐出容量可変ヘッドを用いることが考えられる。このように構成すれば、例えば、インクジェットヘッドの個数が多くなりすぎることを防ぎつつ、粒状感が目立つことをより適切に防ぐことができる。また、印刷装置の構成の更なる変形例においては、例えば、全ての色用のインクジェットヘッドとして、吐出容量可変ヘッドを用いてもよい。
【産業上の利用可能性】
【００８５】
本発明は、例えば印刷装置に好適に用いることができる。
【符号の説明】
【００８６】
１０・・・印刷装置、１２・・・ヘッド部、１４・・・プラテン、１６・・・主走査駆動部、１８・・・副走査駆動部、２０・・・ヒータ、３０・・・制御部、５０・・・媒体、１００・・・キャリッジ、１０２・・・インクジェットヘッド、２０２・・・ヘッド列
【図１】
2019130673.tif 000003
【図２】
2019130673.tif 000004
【図３】
2019130673.tif 000005
【図４】
2019130673.tif 000006
【図５】
2019130673.tif 000007
【図６】
2019130673.tif 000008
【図７】
2019130673.tif 000009
【図８】
2019130673.tif 000010
【図９】
2019130673.tif 000011